(57)【要約】【課題】  高齢者等が便所等を利用する場合に、体への負担を軽減する。【解決手段】  複数の住戸２を集合してなる住宅１であって、各住戸２には、寝室７、便所８、洗面所９、及び浴室１０が一連に設けられ、寝室７と便所８との境界壁３３、便所８と洗面所９との境界壁３６、及び洗面所９と浴室１０との境界壁３９にはそれぞれ開口部３４、３７、４０が設けられ、各開口部３４、３７、４０にはそれぞれ開閉扉３５、３８、４１が設けられる。寝室７から開口部３４を介して直接に便所８を利用できるので、高齢者等の住人の体への負担を軽減できる。また、開口部３４、３７、４０を介して寝室７側から便所８、洗面所９、及び浴室１０内を見通すことができるので、高齢者等の住人が便所８等を利用している際に具合が悪くなった場合に素早く発見して救護等の対応をとることができる。【選択図】        図１
2005097981.tif 000002
【特許請求の範囲】
【請求項１】
複数の住戸を集合してなる住宅であって、各住戸には、寝室及び便所が隣接して設けられるとともに、寝室と便所との間の境界壁には開口部が設けられ、かつ、該開口部には開閉扉が開閉自在に設けられていることを特徴とする住宅。
【請求項２】
請求項１に記載の住宅であって、前記便所に隣接して洗面所が設けられるとともに、該洗面所に隣接して浴室が設けられ、かつ、前記便所と前記洗面所との間の境界壁、及び前記洗面所と前記浴室との間の境界壁にはそれぞれ開口部が設けられ、各開口部にはそれぞれ開閉扉が開閉自在に設けられていることを特徴とする住宅。
【請求項３】
請求項２に記載の住宅であって、前記寝室と便所との間の境界壁の開口部、前記便所と前記洗面所との間の境界壁の開口部、及び前記洗面所と前記浴室との間の境界壁の開口部は一連に見通し可能に設けられていることを特徴とする住宅。
【請求項４】
請求項１から３の何れかに記載の住宅であって、前記開閉扉は引戸又は折戸であることを特徴とする住宅。
【請求項５】
請求項１から４の何れかに記載の住宅であって、前記便所内の前記寝室側の境界壁と前記洗面所側の境界壁とによって挟まれる部分には、便器が設けられていることを特徴とする住宅。
【請求項６】
請求項１から５の何れかに記載の住宅であって、前記洗面所内の前記便所側の境界壁と前記浴室側の境界壁とによって挟まれる部分には、洗面台が設けられていることを特徴とする住宅。
【発明の詳細な説明】
【技術分野】
【０００１】
本発明は、複数の住戸を集合させて構成した住宅に関し、特に、高齢者、障害者等に有効な集合住宅に関するものである。
【背景技術】
【０００２】
従来、複数の住戸を集合させて構成した集合住宅の一例として、各住戸をバリアフリー化して、高齢者等の生活や活動に不便な障害を取り除くように構成したものが知られている。
【０００３】
例えば、玄関と廊下との間の段差、廊下と各部屋（寝室、リビング・ダイニング室、便所、洗面所、浴室等）との間の段差をなくしたり、廊下、便所、浴室等の要所に手摺を取り付けたりすることが行なわれている。
【０００４】
ところで、上記のような構成の集合住宅の住戸にあっては、各部屋（寝室、リビング・ダイニング室、納戸、便所、洗面所、浴室等）が独立して設けられ、各部屋にはそれぞれ独立の出入口が設けられているため、各部屋に出入りするには各部屋に独立の出入口を使用しなければならない。
【０００５】
このため、例えば、体の不自由な老人、障害者等の住人が寝室から便所等に行く場合に、寝室から一旦廊下に出て、廊下を介して便所等に行かなければならず、住人の体への負担が大きくなってしまう。
【０００６】
また、寝室側から便所内の状況を確認することができないため、住人が便所内で具合が悪くなったような場合に、同居人等がその状況を素早くつかむことができず、救護等の対応が遅れてしまうという問題があった（例えば、特許文献１、特許文献２参照。）。
【特許文献１】特開２００２−２１３４６号公報
【特許文献２】特開２００１−１１５６６４号公報
【発明の開示】
【発明が解決しようとする課題】
【０００７】
本発明は、上記のような従来の問題に鑑みなされたものであって、高齢者、障害者等が便所等を利用する場合に、体への負担を軽減することができるとともに、そのような住人が便所内等で具合が悪くなったような場合に、他の同居人がその状況を素早くつかむことができて、救護等の対応を速やかにとることができる住宅を提供することを目的とするものである。
【課題を解決するための手段】
【０００８】
本発明は、上記のような課題を解決するために、以下のような手段を採用している。
本発明による住宅によれば、複数の住戸を集合してなる住宅であって、各住戸には、寝室及び便所が隣接して設けられるとともに、寝室と便所との間の境界壁には開口部が設けられ、かつ、該開口部には開閉扉が開閉自在に設けられていることを特徴とする。
本発明による住宅によれば、寝室側から、両者間の境界壁の開口部を介して便所を利用することができるので、高齢者等の体への負担を軽減することができる。
【０００９】
請求項２に係る発明は、請求項１に記載の住宅であって、前記便所に隣接して洗面所が設けられるとともに、該洗面所に隣接して浴室が設けられ、かつ、前記便所と前記洗面所との間の境界壁、及び前記洗面所と前記浴室との間の境界壁にはそれぞれ開口部が設けられ、各開口部にはそれぞれ開閉扉が開閉自在に設けられていることを特徴とする。
本発明による住宅によれば、寝室側から開口部を介して便所、洗面所、及び浴室内を見通すことができるので、高齢者等が便所等を利用しているときに具合が悪くなった場合、素早く発見して救護等の対応をとることができる。
【００１０】
請求項３に係る発明は、請求項２に記載の住宅であって、前記寝室と便所との間の境界壁の開口部、前記便所と前記洗面所との間の境界壁の開口部、及び前記洗面所と前記浴室との間の境界壁の開口部は一連に見通し可能に設けられていることを特徴とする。
本発明による住宅によれば、寝室側から開口部を介して便所、洗面所、及び浴室内を見通すことができるので、高齢者等が便所等を利用しているときに具合が悪くなった場合、素早く発見して救護等の対応をとることができる。
また、それら開口部が一連に見通し可能であることにより、それら開口部間の通路が単なる直線状となるため、車椅子を自動走行させる自動走行装置あるいは高齢者等をリフトで運搬する天井走行式リフト等の自動運搬装置を、それら開口部間の通路に容易に設置しかつ利用することができる。
【００１１】
請求項４に係る発明は、請求項１から３の何れかに記載の住宅であって、前記開閉扉は引戸又は折戸であることを特徴とする。
本発明による住宅によれば、高齢者等であっても、開閉扉を容易に開閉することができる。
【００１２】
請求項５に係る発明は、請求項１から４の何れかに記載の住宅であって、前記便所内の前記寝室側の境界壁と前記洗面所側の境界壁とによって挟まれる部分には、便器が設けられていることを特徴とする。
本発明による住宅によれば、高齢者等が便所を利用しているときに具合が悪くなっても、素早くその状況を寝室側から把握することができる。
【００１３】
請求項６に係る発明は、請求項１から５の何れかに記載の住宅であって、前記洗面所内の前記便所側の境界壁と前記浴室側の境界壁とによって挟まれる部分には、洗面台が設けられていることを特徴とする。
本発明による住宅によれば、高齢者等が洗面所を利用したときに具合が悪くなっても、寝室側からその状況を素早く把握することができる。
【発明の効果】
【００１４】
以上、説明したように、本発明の住宅によれば、高齢者等の住人が寝室から便所を利用する場合に、寝室から開口部を介して直接に便所に出入りできるので、高齢者等の住人の体への負担を軽減することができる。
また、寝室と便所との間及び洗面所と便所との間にはそれぞれ開閉扉が設けられているので、洗面所側からも便所を利用することもでき、来客等が便所を利用する場合にも不都合はないものである。
さらに、寝室と便所との間の境界壁の開口部、便所と洗面所との間の境界壁の開口部、及び洗面所と浴室との間の境界壁の開口部を一連に設けてあるので、寝室側から便所、洗面所、及び浴室内を見通すことができることになる。従って、高齢者等の住人が便所、洗面所、又は浴室を利用する場合に、各開口部の開閉扉を開けておくことにより、寝室側から同居人等が住人の状態を確認することができるので、住人等が具合が悪くなった場合に、素早く発見して救護等の対応を速やかに採ることができる。
【発明を実施するための最良の形態】
【００１５】
以下、図面に示す本発明の実施の形態について説明する。
図１及び図２には、本発明による住宅の一実施の形態が示されていて、この住宅１は、複数の住戸２を集合させて構成した集合住宅であって、高齢者、障害者等に有効に適用することができるものである。
【００１６】
すなわち、この住宅１は、略同一の間取りを有する複数の住戸２を集合させて１棟としたものであって、各住戸２には、玄関３と、廊下４と、リビング・ダイニング室５、和室６、寝室７、便所８、洗面所９、浴室１０等の複数の部屋と、バルコニー１１とが設けられている。
【００１７】
この場合、図中右半部に玄関３、廊下４、及びリビング・ダイニング室５がそれらの順に設けられ、図中左半部に浴室１０、洗面所９、便所８、寝室７、及び和室６がそれらの順に設けられ、リビング・ダイニング室５及び和室６の外側にバルコニー１１が設けられている。
【００１８】
廊下４、リビング・ダイニング室５、寝室７、便所８、及び洗面所９は床面が木質系のフロアリグ材で構成され、和室６は床面が畳で構成され、浴室１０は床面がタイル等で構成されている。
【００１９】
和室６とリビング・ダイニング室５との間は、両者間の境界壁２０に設けられている開口部２１を介して図中左右方向に相互に連通し、この開口部２１には溝又はレールによって移動自在に支持される開閉扉である引違い戸２２が設けられ、この引違い戸２２を溝又はレールに沿って移動させることにより、この開口部２１が開閉される。和室６とリビング・ダイニング室５とは、両者の床高さに段差がある。この段差は腰掛け程度の高さに設定されていて、車椅子から各室５，６間の移動を容易としたものであると共に、家具を引出し状として物入れとしても利用できるようにも構成されている。
なお、床高さは、和室６の方がリビング・ダイニング室５よりも高い。このような構成によれば、リビング・ダイニング室５から和室６への移動は、車椅子から立ち上がってそのまま畳上を横になって転がることにより可能となる。
【００２０】
寝室７と和室６との間は、両者間の境界壁２３に設けられている開口部２４を介して図中上下方向に相互に連通し、この開口部２４には溝又はレールによって移動自在に支持される開閉扉である引違い戸２５が設けられ、この引違い戸２５を溝又はレールに沿って移動させることにより、この開口部３４が開閉される。寝室７と和室６とは、両者の床面間に段差が生じないように構成されている。
【００２１】
寝室７とリビング・ダイニング室５との間は、両者間の境界壁２６に設けられている開口部２７を介して図中左右方向に相互に連通し、この開口部２７には溝又はレールによって移動自在に支持される開閉扉である引違い戸２８が設けられ、この引違い戸２８を溝又はレールに沿って移動させることにより、この開口部２７が開閉される。寝室７とリビング・ダイニング室５とは、両者の床面間に段差が生じないように構成されている。
【００２２】
リビング・ダイニング室５とバルコニー７との境界壁２９には、それぞれ開口部３０が設けられ、この開口部３０にはアルミサッシ、スチールサッシ等のサッシ３１が設けられ、このサッシ３１の開閉扉である引違い戸３２をサッシ３１枠のレールに沿って移動させることにより、この開口部３０が開閉される。
【００２３】
寝室７と便所８との間の境界壁３３には、両者間を図中上下方向に相互に連通する開口部３４が設けられ、この開口部３４には溝又はレールによって移動自在に支持される開閉扉である引戸３５が設けられ、この引戸３５を溝又はレールに沿って移動させることにより、この開口部３４が開閉される。寝室７と便所８とは、両者の床面間に段差が生じないように設定されている。
【００２４】
便所８と洗面所９との境界壁３６には、両者間を図中上下方向に相互に連通する開口部３７が設けられ、この開口部３７には溝又はレールによって移動自在に支持される開閉扉である引戸３８が設けられ、この引戸３８を溝又はレールに沿って移動させることにより、この開口部３７が開閉される。便所８と洗面所９とは、両者の床面間に段差が生じないように構成されている。
【００２５】
洗面所９と浴室１０との境界壁３９には、両者間を図中上下方向に相互に連通する開口部４０が設けられ、この開口部４０には溝又はレールによって移動自在に支持される開閉扉である引戸４１が設けられ、この引戸４１を溝又はレールに沿って移動させることにより、この開口部４０が開閉される。洗面所９と浴室１０とは、両者の床面間に段差が生じないように構成されている。
【００２６】
寝室７と便所８との間の境界壁３３の開口部３４、便所８と洗面所９との間の境界壁３６の開口部３７、及び洗面所９と浴室１０との間の境界壁３９の開口部４０は図中上下方向に一連に設けられ、各開口部３４、３７、４０の引戸３５、３８、４１を開放させたときに、寝室７側から便所８、洗面所９、及び浴室１０内が見通せるように構成されている。
【００２７】
便所８内の寝室７側の境界壁３３と洗面所９側の境界壁３６とによって挟まれる部分には、便器１２が設けられている。この場合、便器１２は、図中左方向又は右方向を向いて排泄を行なうように取り付けられている。便所８内の便器１２に面する各境界壁３３、３６の部分にはそれぞれ手摺１３が取り付けられ、この手摺１３によって高齢者等が排泄する場合に補助している。便所８内の便器１２に対向する図中右側の隅部には、簡易洗面台１４が設けられている。なお、図中、符号１５はクロゼット、符号１６は物入れである。
【００２８】
洗面所９内の便所８側の境界壁３６と浴室１０側の境界壁３９とによって挟まれる部分には、洗面台１７が設けられている。この場合、洗面台１７は、図中左方向を向けて洗面を行なうように取り付けられている。
【００２９】
洗面所９と廊下４との境界部４２には、開閉扉である引戸４３が溝又はレールによって移動自在に支持され、この引戸４３を溝又はレールに沿って移動させることにより、洗面所９を廊下４側から開閉することができるように構成されている。
【００３０】
寝室７と便所８との間の境界壁３３の開口部３４は、寝室７の床面と便所８の床面とに段差が生じないように、床面の高さが調整されている。また、便所８と洗面所９との境界壁３６の開口部３７も、便所８の床面と洗面所９の床面とに段差が生じないように、床面の高さが調整されている。さらに、洗面所９と浴室１０との境界壁３９の開口部も、洗面所９の床面と浴室１０の床面とに段差が生じないように、床面の高さが調整されている。
【００３１】
上記のように構成される各住戸２は、住人が車椅子に乗ったままの状態で自由に各部屋内、部屋間を移動できるように、各部屋、部屋間の開口部等を構成することが望ましい。この場合には、各開口部に設けられている各開閉扉を電気的に自動開閉できるシステムとし、また洗面台１７等を車椅子に乗ったままの状態で利用できる構造とすることが好ましい。
【００３２】
上記のような構成の複数の住戸２からなる住宅１の屋上部には、図２に示すように、共用部として、エレベーターホール４５の図中左側の部分に、図中上下に二つの脱衣室４６、４６、両脱衣室４６、４６間に一つの車椅子化粧室４７、及び図中上下に二つの浴室４８、４８及び露天風呂４９、４９が設けられ、エレベーターホール４５の図中右側の部分に、一つのプレイルーム５０が設けられ、図中左右端部にそれぞれ屋上菜園５１が設けられている。
【００３３】
この場合、エレベーターホール４５と各脱衣室４６との間は、両者間に設けられている境界壁５２の開口部５３を介して相互に連通している。また、各脱衣室４６と車椅子化粧室４７との間は、両者間に設けられている境界壁５４の開口部５５を介して相互に連通し、この開口部５５は開閉扉５６によって開閉自在に構成されている。車椅子化粧室４７内には、便器５７、洗面台５８が設けられ、車椅子に乗ったままの状態で出入りして、便器５７及び洗面台５８を利用できるように構成されている。各脱衣室４６内には、それぞれ洗面台５９、脱衣棚６０、及び下駄箱６１が設けられている。
【００３４】
各浴室４８と各脱衣室４６との間は、両者間に設けられている境界壁６２の開口部６３を介して相互に連通している。この開口部６３は開閉扉６４によって開閉自在に構成されている。各浴室４８内には、洗い場６５及び浴槽６６がそれぞれ設けられている。
【００３５】
各浴室４８と各露天風呂４９との間は、両者間に設けられている境界壁６７の開口部６８を介して相互に連通している。この開口部６８は開閉扉６９によって開閉自在に構成されている。各露天風呂４９内には、洗い場７０及び浴槽７１がそれぞれ設けられ、各露天風呂４９の浴槽７１と浴室４８の浴槽６６とは相互に連通している。
【００３６】
エレベーターホール４５と、プレイルーム５０、両脱衣室４６、４６、車椅子化粧室４７、及び両浴室４８、４８との間には、床面に段差が生じないように各床面の高さが設定され、車椅子に乗ったままの状態で、エレベーターホール４５から各部屋に自由に移動できるように構成されている。
【００３７】
プレイルーム５０内には、ゲームコーナー、カラオケルーム、バーコーナー、葬祭等を行なうことができる集会スペース等が設けられ、住宅１の住人が必要に応じて利用できるように構成されている。
【００３８】
上記のように構成したこの実施の形態による住宅１にあっては、各住戸２の間取りが、寝室７に便所８が隣接し、便所８に洗面所９が隣接し、洗面所９に浴室１０が隣接する構成となっているので、高齢者等の住人が寝室７から便所８を利用する場合に、寝室７から開口部３４を介して直接に便所８に出入りできるので、高齢者等の住人の体への負担を軽減することができる。また、車椅子の乗ったままの状態で寝室７から便所８内に出入りできるので、体の不自由な住人にとっても体への負担を大きくすることなく、便所８を利用することができる。
【００３９】
さらに、寝室７と便所８との間及び洗面所９と便所８との間にそれぞれ引戸３５、３８が設けられているので、洗面所９側からも便所８を利用することもでき、来客等が便所８を利用する場合にも不都合はないものである。
【００４０】
さらに、寝室７と便所８との間の境界壁３３の開口部３４、便所８と洗面所９との間の境界壁３６の開口部３７、及び洗面所９と浴室２０との間の境界壁３９の開口部４０を一連に設けてあるので、寝室７側から便所８、洗面所９、及び浴室１０内を見通すことができることになる。従って、高齢者等の住人が便所８、洗面所９、又は浴室１０を利用する場合に、各開口部３４、３７、４０の引戸３５、３８、４１を開けておくことにより、寝室７側から同居人等が住人の状態を確認することができるので、住人等が具合が悪くなった場合に、素早く発見して救護等の対応を速やかに採ることができることになる。
【００４１】
また、それら開口部３４、３７、４０が一連に見通し可能であることにより、それら開口部３４、３７、４０間の通路が単なる直線状となるため、車椅子を自動走行させる自動走行装置あるいは高齢者等をリフトで運搬する天井走行式リフト等の自動運搬装置を、それら開口部３４、３７、４０間の通路や天井に容易に設置しかつ利用することができる。すなわち、仮にそれら開口部３４、３７、４０が一連に見通し可能でない場合には、それら開口部間３４、３７、４０の通路は単なる直線状とはならず、例えば波状となるため、上記自動走行装置あるいは自動運搬装置の設置を複雑化するだけでなく、高齢者等をそれら開口部３４、３７、４０間をスムーズに移動させることが困難となる。
【００４２】
さらに、屋上部には、共用部として浴室４８及び露天風呂４９が設けられているので、必要に応じて各住戸２の住人等がこの浴室４８及び露天風呂４９を利用することにより、各住戸２の光熱費等を節約することができる。
【００４３】
また、プレイルーム５０には、共用部として、ゲーム、カラオケ、バー等が設けられ、さらに、屋上菜園５１も設けられているので、それらを住人同士が交流をもつ場として利用することができることになる。
【００４４】
なお、上記実施形態における引戸３５，３８，４１は折戸等、高齢者等が開閉扉を容易に開閉することができる扉に置き換えてもよい。すなわち、引戸３５，３８，４１は折戸等に置き換えても、高齢者等が開閉扉を容易に開閉することができるという効果は引戸と同様である。これは、住宅１を平面視して扉の一端を中心として回転するような開閉扉を開口部３４，３７，４０それぞれに設けるよりも好適である。
【図面の簡単な説明】
【００４５】
【図１】本発明による住宅の一実施の形態を示したものであって、代表的な住戸の間取りを示した平面図である。
【図２】本発明による住宅の屋上を示した平面図である。
【符号の説明】
【００４６】
１  住宅
２  住戸
７  寝室
８  便所
９  洗面所
１０、４８  浴室
１２  便器
１４  簡易洗面台
１７  洗面台
３３、３６、３９  境界壁
３４、３７、４０  開口部
３５、３８、４１  開閉扉
４６  脱衣室
４７  車椅子化粧室
４９  露天風呂
５０  プレイルーム
５１  屋上菜園
【図１】
2005097981.tif 000003
【図２】
2005097981.tif 000004